(57)【要約】【課題】  和室、洋室に関わらず、部屋の雰囲気を迅速かつ容易に変化させること。【解決手段】  この壁面開閉装置１００は、表面１ａに化粧面２０を設け且つ裏面１ｂに畳状素材２２を設けた本体１と、当該本体１の下部両端から下方向に突き出た突出部２と、前記本体１の両側面の下側に設けた回転軸３と、前記本体１を設置する装置収納部の側面８ａ及び前記突出部２との間に設けた緩衝装置４と、前記突出部２及び前記緩衝装置４を覆うカバー５と、で構成される。この壁面開閉装置１００を床の間等が設けられた装置収納部７ａの前面開口部に設置し、本体１を開閉させることにより、部屋の雰囲気を迅速かつ容易に変化させることが出来る。また、突出部２と緩衝装置４をカバー５で覆って装置収納部７ａ内部に機械的な構造が見えないように設置するため、部屋の美観を損なわない。【選択図】  図１
2017155424.tif 000002
【特許請求の範囲】
【請求項１】
表面に化粧面を設け且つ裏面に畳状素材を設けた板状の本体と、当該本体の下部両端から下方向に突き出た突出部と、前記本体の両側面の下側に設けた回転軸と、前記本体を設置する壁面に既設の前面が開口した凹部の側面及び前記突出部との間に設けた緩衝装置と、前記突出部及び前記緩衝装置を覆うカバーと、を備えたことを特徴とする壁面開閉装置。
【請求項２】
更に、前記凹部を備え、当該凹部は内部に床の間、仏間その他の間を設ける空間を有し且つその前面開口部に前記本体が嵌め込まれることを特徴とする請求項１に記載の壁面開閉装置。
【請求項３】
表面に化粧面を設け且つ裏面に畳状素材を設けた板状の本体と、積層合板を箱状に貼り合わせ且つ前記本体が嵌まり得る前面開口部を形成した装置収納部と、前記本体の両側面の下側に設けた回転軸と、前記装置収納部の側面及び前記回転軸との間に設けた緩衝装置と、前記回転軸及び前記緩衝装置を覆うカバーと、を備えたことを特徴とする壁面開閉装置。
【請求項４】
更に、前記装置収納部は、内部に床の間、仏間その他の間を設ける空間を有し且つその前面開口部に前記本体が嵌め込まれることを特徴とする請求項３に記載の壁面開閉装置。
【請求項５】
更に、前記本体を開閉するアクチュエータを設けたことを特徴とする請求項１〜４のいずれか一つに記載の壁面開閉装置。
【発明の詳細な説明】
【技術分野】
【０００１】
本発明は、畳状素材を設けた本体を開閉させることにより、床の間等を出現もしくは隠し、部屋の雰囲気を変化させる壁面開閉装置に関するものである。
【背景技術】
【０００２】
従来から、部屋の雰囲気を変化させる技術として、特許文献１に記載の床の間形成用パネルが知られている。この床の間形成用パネルは、表面に化粧面を設けた壁パネルと、当該壁パネル下部に回動自在に設けた床パネルから成る。この床の間形成用パネルを和室の壁面に設置し、掛け軸や生け花などを飾ることにより、単なる和室を入室者が安らげる空間へと変えている。
【先行技術文献】
【特許文献】
【０００３】
【特許文献１】特開２０１４−２２４４１９号公報
【発明の概要】
【発明が解決しようとする課題】
【０００４】
しかしながら、上記従来の技術では、設置する場所が和室に限られる。また、壁パネルと床パネルとからなる簡易的な構成のため、形成される床の間は本来のそれとは大きく印象が異なるという問題点があった。本発明は、係る問題点を解決するためになされたものである。
【課題を解決するための手段】
【０００５】
本発明に係る壁面開閉装置を収納可能な前面が開口している凹部を、装置収納部とする。また、当該装置収納部は内部に床の間、仏間その他の間を有する。
【０００６】
本発明に係る壁面開閉装置は、表面に化粧面を設け且つ裏面に畳状素材を設けた板状の本体と、当該本体の下部両端から下方向に突き出た突出部と、前記本体の両側面の下側に設けた回転軸と、前記本体を設置する壁面に既設の前面が開口した凹部の側面及び前記突出部との間に設けた緩衝装置と、前記突出部及び前記緩衝装置を覆うカバーと、を備えたことを特徴とする。
【０００７】
また、本発明に係る壁面開閉装置は、表面に化粧面を設け且つ裏面に畳状素材を設けた板状の本体と、当該本体の下部両端から下方向に突き出た突出部と、前記本体の両側面の下側に設けた回転軸と、前記本体を設置する壁面に既設の前面が開口した凹部と、当該凹部の側面及び前記突出部との間に設けた緩衝装置と、前記突出部及び前記緩衝装置を覆うカバーと、を備え、前記凹部は内部に床の間、仏間その他の間を設ける空間を有し且つその前面開口部に前記本体が嵌め込まれることを特徴とする。
【０００８】
また、本発明に係る壁面開閉装置は、表面に化粧面を設け且つ裏面に畳状素材を設けた板状の本体と、積層合板を箱状に貼り合わせ且つ前記本体が嵌まり得る前面開口部を形成した装置収納部と、前記本体の両側面の下側に設けた回転軸と、前記装置収納部の側面及び前記回転軸との間に設けた緩衝装置と、前記回転軸及び前記緩衝装置を覆うカバーと、を備えたことを特徴とする。
【０００９】
また、本発明に係る壁面開閉装置は、表面に化粧面を設け且つ裏面に畳状素材を設けた板状の本体と、積層合板を箱状に貼り合わせ且つ前記本体が嵌まり得る前面開口部を形成した装置収納部と、前記本体の両側面の下側に設けた回転軸と、前記装置収納部の側面及び前記回転軸との間に設けた緩衝装置と、前記回転軸及び前記緩衝装置を覆うカバーと、を備え、前記装置収納部は、内部に床の間、仏間その他の間を設ける空間を有し且つその前面開口部に前記本体が嵌め込まれることを特徴とする。
【００１０】
また、本発明に係る壁面開閉装置は、上記発明において、前記本体開閉用のアクチュエータを設けたことを特徴とする。
【図面の簡単な説明】
【００１１】
【図１】本発明の実施の形態１に係る壁面開閉装置の斜視図である。
【図２】実施の形態１に係る壁面開閉装置が閉じた状態を示す正面図である。
【図３】実施の形態１に係る壁面開閉装置が閉じた状態を示す側面図である。
【図４】実施の形態１に係る壁面開閉装置が閉じた状態を示す平面図及び本体１のＡ−Ａ断面図である。
【図５】実施の形態１に係る壁面開閉装置が開いた状態を示す正面図である。
【図６】実施の形態１に係る壁面開閉装置が開いた状態を示す側面図である。
【図７】実施の形態１に係る壁面開閉装置が開いた状態を示す平面図である。
【図８】実施の形態１に係る壁面開閉装置が開いた状態の設置例を示す斜視図である。
【図９】実施の形態１に係る壁面開閉装置の作動例を示す斜視図である。
【図１０】実施の形態１の開閉に伴う緩衝装置の作動を示す斜視図である。
【図１１】本発明の実施の形態２に係る壁面開閉装置の斜視図である。
【図１２】実施の形態２に係る壁面開閉装置が閉じた状態を示す正面図である。
【図１３】実施の形態２に係る壁面開閉装置が閉じた状態を示す側面図である。
【図１４】実施の形態２に係る壁面開閉装置が閉じた状態を示す平面図である。
【図１５】実施の形態２に係る壁面開閉装置が閉じた状態を示す正面図である。
【図１６】実施の形態２に係る壁面開閉装置が閉じた状態を示す側面図である。
【図１７】実施の形態２に係る壁面開閉装置が閉じた状態を示す平面図である。
【図１８】実施の形態２の開閉に伴う緩衝装置の作動を示す斜視図である
【発明を実施するための形態】
【００１２】
（実施の形態１）
図１は、本発明の実施の形態１に係る壁面開閉装置１００の斜視図である。この壁面開閉装置１００は、表面１ａに化粧面２０を設け且つ裏面１ｂに畳状素材２２を設けた板状の本体１と、当該本体１の下部両端から下方向に突き出た突出部２と、前記本体１の両側面の下側に設けた回転軸３と、前記本体１を設置する装置収納部の側面８ａ及び前記突出部２との間に設けた緩衝装置４と、前記突出部２及び前記緩衝装置４を覆うカバー５と、で構成される。
【００１３】
図２は、実施の形態１に係る壁面開閉装置１００が閉じた状態を示す正面図であり、図３はその側面図であり、図４（ａ）はその平面図である。図４（ｂ）は、本体１のＡ−Ａ断面図である。本体１では、鋼材を枠状に配置して互いに溶接することで枠体６を構成し、この枠体６の片側面に積層合板２１を貼り付けると共に当該積層合板２１に壁紙等の化粧面２０を貼り付けて表面１ａを構成する。裏面１ｂは、前記枠体６に下地となる積層合板２１を設け、この積層合板２１の上に畳を固着した構成とする。畳の代わりに茣蓙を使用する場合は、前記積層合板２１の上に直接茣蓙を敷いても良いし、クッション材を介在させて茣蓙を敷いても良い。
【００１４】
前記表面１ａの化粧面２０は、壁面開閉装置１００を設置する壁面９と同じ又は類似の壁紙（または塗料）により形成すると部屋の美観を損なわないので良い。また、裏面１ｂに設ける畳状素材２２には、天然草茎からなる畳や茣蓙等を用いる。他にも、例えばポリエチレン系、ポリプロピレン系、ポリエステル系、ポリアミド系の合成樹脂からなる畳や茣蓙等を用いる。
【００１５】
図５は、実施の形態１に係る壁面開閉装置１００が開いた状態を示す正面図であり、図７はその平面図である。前記本体１の下部両端から下方向への突出部２は、前記枠体６の側面を構成する鋼材をそのまま本体１の下方向へ突出させて構成しても良いし、前記本体１下部両端の下方向に新たに鋼材を溶接して構成しても良い。
【００１６】
また、前記突出部２の前記裏面１ｂ側には、前記緩衝装置４の回転軸３２に対する軸受を有する鋼材３０を設ける。前記回転軸３は、図７（ａ）に示すように、前記本体１下側の両側面にそれぞれ丸棒状の鋼材を溶接し、もしくは、図７（ｂ）に示すように、前記本体１の下側の両側面に穴を設け且つそれぞれの穴に丸棒状の鋼材を嵌め込み前記本体１と溶接し、もしくは、図７（ｃ）に示すように、前記本体１下側の片側側面からもう一方の側面へ貫通するように丸棒状の鋼材を通し前記本体１と溶接することで構成する。前記回転軸３は、前記本体1下側の両側面から横方向へ突き出ており、前記装置収納部の側面８ａに設けた軸受３１で支えられている。
【００１７】
図６は、実施の形態１に係る壁面開閉装置が開いた状態を示す側面図である。前記緩衝装置４は両端に回転軸３２を有し、一端が前記突出部２に設けた前記鋼材３０の軸受で支えられ、もう一端は前記装置収納部の側面８ａに設けた軸受３３で支えられている。前記緩衝装置４には、油圧ダンパーや油圧シリンダを用いる。図８は、実施の形態１に係る壁面開閉装置が開いた状態の設置例を示す斜視図である。前記カバー５では積層合板４０を、前記突出部２と前記緩衝装置４を覆い隠し得る箱状に貼り合わせて箱体を構成すると共に、外観部分には壁紙等を貼り化粧面４１を形成する。
【００１８】
当該化粧面４１は前記本体１の化粧面２０同様、壁面開閉装置１００を設置する壁面９と同じ又は類似の壁紙（または塗料）により形成する。また、前記カバー５は、全ての面を積層合板４０によって構成する必要は無く、前記装置収納部７ａの一部や前記装置収納部の側面８ａを前記カバー５の一部の面に用いても良い。即ち、前記カバー５の前面５ａと左側面５ｂは、積層合板４０をＬ字形に貼り合わせて構成し、当該Ｌ字形積層合板を前記装置収納部７ａおよび前記装置収納部の側面８ａの角に設置することにより、前記カバー５の右側面５ｃを前記装置収納部の側面８ａの一部が構成し且つ後面５ｄを前記装置収納部７ａの一部が構成することになる。
【００１９】
次に、この壁面開閉装置１００の動作を説明する。図１に示すように、壁面開閉装置１００の本体１上側の取っ手Ｔを引くと、当該本体１が自重により手前に半自動的に倒れ始める。このとき、図１０のように、前記本体１は、前記緩衝装置４の減衰力によりゆっくりと開く。前記本体１は、約９０度回転して完全に開いた状態となる。一方、壁面開閉装置１００を閉じるには、前記取っ手Ｔを掴んで前記本体１を持ち上げる。図１０に示すように、前記緩衝装置４のバネの力により前記本体１は少ない力で持ち上げることができ、最終的に当該本体１が完全に閉じた状態となる。また、壁面開閉装置１００の本体１を開閉させる手段として、手動で行う他に、例えば油圧アクチュエータを用いても良い（図示省略）。具体的には、前記緩衝装置４に油圧シリンダを用い、当該油圧シリンダに電動油圧ポンプを繋ぐことで、安全かつ容易に本体１を開閉できる。
【００２０】
以上、壁面開閉装置１００によれば、部屋の壁面に既設の装置収納部７ａの前面開口部に本体１を設置し開閉させることにより、部屋の雰囲気を一瞬で変えることが出来る。このとき、前記カバー５により壁面開閉装置１００の機械的な構造が外観上見えることはないので、部屋の美観は損なわれない。
【００２１】
また、壁面開閉装置１００を和室に設置した際には、本体１を開閉させることにより必要に応じて床の間、仏間その他の間を迅速かつ容易に出現させ、又は隠すことが出来る。更に、図９で示すように壁面開閉装置１００を洋室に設置した際には、床の間、仏間その他の間の出現と本体１の裏面１ｂに設けた畳状素材２２の効果により、部屋の雰囲気を一変させることが出来る。
【００２２】
（実施の形態２）
次に、本発明の実施の形態２について説明をする。なお、実施の形態１と同一の構成要素には同一の符号を付し、その説明を省略する。図１１は、本発明の実施の形態２に係る壁面開閉装置２００の斜視図である。この壁面開閉装置２００は、積層合板４２を箱状に貼り合わせて前面が開口するようにした装置収納部７ｂと、表面１ａに化粧面２０を設け且つ裏面１ｂに畳状素材２２を設けた板状の本体１と、前記本体１の両側面の下側に設けた回転軸３と、前記本体１を設置する装置収納部の側面８ｂ及び前記回転軸３との間に設けた緩衝装置４と、前記回転軸３及び前記緩衝装置４を覆うカバー５と、で構成される。
【００２３】
前記装置収納部７ｂでは、積層合板４２を、前記本体１が嵌まり得る前面開口部Ｆを有する箱状に貼り合わせて構成し且つ当該積層合板４２の両面には化粧面４３を設ける。当該化粧面４３は、前記本体１の化粧面２０同様、壁面開閉装置２００を設置する壁面９と同じ又は類似の壁紙（または塗料）により形成すると部屋の美観を損なわないので良い。また、前記装置収納部７ｂの内部には、床の間、仏間その他の間を設置する。壁面開閉装置２００においても、前記本体１の構成は上記実施の形態１と同様なので説明を省略する。
【００２４】
図１２は、実施の形態２に係る壁面開閉装置２００が閉じた状態を示す正面図であり、図１３はその側面図、図１４はその平面図である。図１５は、前記壁面開閉装置２００が開いた状態を示す正面図であり、図１６はその側面図、図１７はその平面図である。前記回転軸３は、図７（ａ）に示すように、前記本体１下側の両側面にそれぞれ丸棒状の鋼材を溶接し、もしくは、図７（ｂ）に示すように、前記本体１の下側の両側面に穴を設け且つそれぞれの穴に丸棒状の鋼材を嵌め込み前記本体１と溶接し、もしくは、図７（ｃ）に示すように、前記本体１下側の片側側面からもう一方の側面へ貫通するように丸棒状の鋼材を通し前記本体１と溶接することで構成する。前記回転軸３は、前記本体1下側の両側面から横方向へ突き出ており、前記装置収納部の側面８ｂに設けた軸受３５で支えられている。また、前記本体１と前記軸受３５との間の前記回転軸３上には、前記緩衝装置４の回転軸３２に対する軸受を有する鋼材３４を溶接する。
【００２５】
前記緩衝装置４は、両端に回転軸３２を有し、一端が前記回転軸３上に設けた鋼材３４の軸受に支えられ、もう一端は前記装置収納部の側面８ｂに設けた軸受３６で支えられている。前記緩衝装置４には、油圧ダンパーや油圧シリンダを用いる。前記カバー５では、積層合板４０を前記回転軸３と前記緩衝装置４を覆い隠し得る箱状に貼り合わせて箱体を構成すると共に、外観部分には壁紙等を貼り化粧面４１を形成する。当該化粧面４１は前記本体１の化粧面２０同様、壁面開閉装置２００を設置する壁面９と同じ又は類似の壁紙（または塗料）により形成する。また、前記カバー５は、全ての面を積層合板４０によって構成する必要は無く、前記装置収納部の側面８ｂを前記カバー５の一部の面に用いても良い。即ち、前記カバー５の前面５ａ、左側面５ｂおよび後面５ｄは積層合板４０をコの字形に貼り合わせて構成し、当該コの字形積層合板を前記装置収納部の側面８ｂに設置することにより、前記カバー５の右側面５ｃを前記装置収納部の側面８ｂの一部が構成することになる。
【００２６】
次に、この壁面開閉装置２００の動作を説明する。図１１に示すように、壁面開閉装置２００の本体１上側の取っ手Ｔを引くと、当該本体１が自重により手前に半自動的に倒れ始める。このとき、図１８に示すように、前記本体１は、前記緩衝装置４の減衰力によりゆっくりと開く。当該本体１は、約９０度回転して完全に開いた状態となる。一方、壁面開閉装置２００を閉じるには、前記取っ手Ｔを掴んで前記本体１を持ち上げる。図１８に示すように、当該本体１は、緩衝装置４のバネの力により少ない力で持ち上げることができ、最終的に当該本体１が完全に閉じた状態となる。また、壁面開閉装置２００の本体１を開閉させる手段として、手動で行う他に、例えば油圧アクチュエータを用いても良い（図示省略）。具体的には、前記緩衝装置４に油圧シリンダを用い、当該油圧シリンダに電動油圧ポンプを繋ぐことで、安全かつ容易に本体１を開閉できる。
【００２７】
以上、壁面開閉装置２００によれば、部屋の任意の壁面に当該壁面開閉装置を設置し、本体１を開閉させることにより、部屋の雰囲気を一瞬で変えることが出来る。このとき、カバー５により壁面開閉装置２００の機械的な構造が外観上見えることはないので、部屋の美観は損なわれない。
【００２８】
また、壁面開閉装置２００を和室に設置した際には、本体１を開閉させることにより必要に応じて床の間、仏間その他の間を迅速かつ容易に出現させ、又は隠すことが出来る。更に、壁面開閉装置２００を洋室に設置した際には、床の間、仏間その他の間の出現と本体１の裏面１ｂに設けた畳状素材２２の効果により、部屋の雰囲気を一変させることが出来る。更に、この壁面開閉装置２００は、壁面に既設の凹部を要さないので、部屋の間取りや部屋内での場所にとらわれず任意の場所に設置が可能である。
【符号の説明】
【００２９】
１    本体
１ａ  本体１の表面
１ｂ  本体１の裏面
２    本体１の下部両端から下方向への突出部
３    回転軸
４    緩衝装置
５    カバー
６    枠体
７ａ  壁面開閉装置１００の装置収納部
７ｂ  壁面開閉装置２００の装置収納部
８ａ  壁面開閉装置１００の装置収納部側面
８ｂ  壁面開閉装置２００の装置収納部側面
９    壁面開閉装置の設置壁面
【図１】
2017155424.tif 000003
【図２】
2017155424.tif 000004
【図３】
2017155424.tif 000005
【図４】
2017155424.tif 000006
【図５】
2017155424.tif 000007
【図６】
2017155424.tif 000008
【図７】
2017155424.tif 000009
【図８】
2017155424.tif 000010
【図９】
2017155424.tif 000011
【図１０】
2017155424.tif 000012
【図１１】
2017155424.tif 000013
【図１２】
2017155424.tif 000014
【図１３】
2017155424.tif 000015
【図１４】
2017155424.tif 000016
【図１５】
2017155424.tif 000017
【図１６】
2017155424.tif 000018
【図１７】
2017155424.tif 000019
【図１８】
2017155424.tif 000020